(57)【特許請求の範囲】
【請求項１】
長方形の正面パネルの短辺下縁に長方形の外側底面パネルの長辺が，上記正面パネルの長辺両側縁に上記正面パネルより幅狭の長方形の左右の側面パネルの長辺が，上記左右の側面パネルのいずれかの側縁に長方形の背面パネルの長辺が，それぞれ連設されているパネル構成を有する型紙からつくられる自立性薄型直方体カートンであって，
上記外側底面パネルの一部に，外側底面パネルの一方の長辺から他方の長辺に向けて，または一方の短辺から他方の短辺に向けて次第に深さが深くなるように連続的に傾斜する傾斜凹面が形成されており，上記傾斜凹面が傾斜している一方の長辺と他方の長辺とを結ぶ方向または一方の短辺と他方の短辺とを結ぶ方向において，上記傾斜凹面の最深箇所と傾斜が深くなる方向の延長上の上記外側底面パネルの縁部との間に傾斜凹面が形成されていない非傾斜底面部が存在する，
自立性薄型直方体カートン。
【請求項２】
上記傾斜凹面が外側底面パネルの長手方向に形成されている，
請求項１に記載の自立性薄型直方体カートン。
【請求項３】
複数の傾斜凹面が外側底面パネルの長手方向または短手方向に並んで形成されている，
請求項１または２に記載の自立性薄型直方体カートン。
【請求項４】
上記背面パネルの短辺下縁に長方形の内側底面パネルの長辺が連設されており，内側底面パネルについても，外側底面パネルの一方の長辺から他方の長辺に向けて，または一方の短辺から他方の短辺に向けて傾斜する傾斜凹面が形成されている，
請求項１から３のいずれか一項に記載の自立性薄型直方体カートン。
【発明の詳細な説明】
【技術分野】
【０００１】
この発明は自立性の高い，すなわち安定して自立させることができる薄型直方体カートンに関する。
【背景技術】
【０００２】
長方形の底面を備える薄型直方体カートンは倒れやすく，これを倒れにくくするために外向きに短くのびる脚部を形成することが考えられている（特許文献１）。特許文献１に記載のものは，カートンの前板部と底板部の境界において底板部に入り込む切欠きが形成されており，この切欠きを前脚部として利用する。底面に穴が開くので内容物の保護に欠ける。
【０００３】
特許文献２は，長方形の底板面に，短辺に平行な方向の罫線を入れたものを開示する。長方形の底面を備える薄型直方体カートンの底面は，側方から見て外方に向かって弧状に反りがちであるが，上記罫線によって底板面の上記反りに対する剛性を向上させることができる。しかしながら，反りに完全に打ち勝つほどに剛性を向上させるのは難しい。
【先行技術文献】
【特許文献】
【０００４】
【特許文献１】特開２００６−１６３１号公報
【特許文献２】特開２００１−２１９９２９号公報
【発明の開示】
【０００５】
この発明は，剛性向上に頼らずに長方形の底面の反りを無くすまたは軽減することを目的とする。
【０００６】
この発明はまた，長期間にわたって安定した自立を維持することができるようにすることを目的とする。
【０００７】
この発明による自立性薄型直方体カートンは，長方形の正面パネルの短辺下縁に長方形の外側底面パネルの長辺が，上記正面パネルの長辺両側縁に上記正面パネルより幅狭の長方形の左右の側面パネルの長辺が，上記左右の側面パネルのいずれかの側縁に長方形の背面パネルの長辺が，それぞれ連設されているパネル構成を有する型紙からつくられるものであって，上記外側底面パネルに，外側底面パネルの一方の長辺から他方の長辺に向けて，または一方の短辺から他方の短辺に向けて傾斜する傾斜凹面が形成されているものである。
【０００８】
型紙を折ることで立体的につくられるカートンは，紙が持つ弾性（反発力）によって，折られる前の状態に戻ろうとする力がパネルに働く。正面パネルに連設された外側底面パネルは内向きに折られるので，外向きの力が生じがちである。この発明によると，上記外側底面パネルに，外側底面パネルの一方の長辺から他方の長辺に向けて，または一方の短辺から他方の短辺に向けて傾斜する傾斜凹面が形成されているので，紙の反発力によって外側底面パネルに外向きの力が働いても，外方湾曲底面を接地面（平坦面）に接しにくくすることができ，薄型直方体カートンの自立の不安定化を防止または軽減することができる。
【０００９】
自立性薄型直方体カートンの外側底面パネルは長方形であり，側方から見て外方に向かって弧状に反りがちであるので，傾斜凹面は外側底面パネルの長手方向にのびるように形成するのが好ましい。もっとも，傾斜凹面を複数に分け，複数の傾斜凹面を外側底面パネルの長手方向に並べてまたは短手方向に並べて形成してもよい。
【００１０】
傾斜凹面の傾斜方向について，外側底面パネルの一方の長辺から他方の長辺に向けて次第に深さが深くなるように形成してもよいし，外側底面パネルの一方の短辺から他方の短辺に向けて次第に深さが深くなるように形成してもよい。
【００１１】
好ましくは，上記背面パネルの短辺下縁に長方形の内側底面パネルの長辺が連設されており，内側底面パネルについても，外側底面パネルの一方の長辺から他方の長辺に向けて，または一方の短辺から他方の短辺に向けて傾斜する傾斜凹面が形成されている。
【図面の簡単な説明】
【００１２】
【図１】第１実施例の薄型直方体カートンの型紙である。
【図２】第１実施例の薄型直方体カートンを底面がわから見た斜視図である。
【図３】図２のIII−III線に沿う，薄型直方体カートンの下部の端面図である。
【図４】第２実施例の薄型直方体カートンの型紙である。
【図５】第２実施例の薄型直方体カートンを底面がわから見た斜視図である。
【図６】第３実施例の薄型直方体カートンの型紙である。
【図７】第４実施例の薄型直方体カートンの型紙である。
【図８】第４実施例の薄型直方体カートンを底面がわから見た斜視図である。
【図９】第５実施例の薄型直方体カートンの型紙である。
【図１０】第５実施例の薄型直方体カートンを底面がわから見た斜視図である。
【図１１】第６実施例の薄型直方体カートンの型紙である。
【図１２】第６実施例の薄型直方体カートンを底面がわから見た斜視図である。
【実施例１】
【００１３】
図１は第１実施例の薄型直方体カートンの展開図を示している。図２は第１実施例の薄型直方体カートンを底面がわから見た斜視図である。図３は図２のIII−III線に沿う薄型直方体カートンの下部の端面図である。
【００１４】
図１の展開図１Ａは薄型直方体カートン１Ｂ（図２，図３）を形成する厚紙の型紙を示しており，薄型直方体カートン１Ｂに組み立てたときの外側となる面を見たものである。一点鎖線は薄型直方体カートン１Ｂを組み立てるときに山折りにされる折り線を示している。折り曲げを容易にするために，この一点鎖線に沿って押し罫加工が施される。
【００１５】
図１に示すように型取り（型抜き）された型紙１Ａを折り曲げかつ必要箇所を接着（糊付け）することによって図２〜図３に示す薄型直方体カートン１Ｂがつくられる。
【００１６】
図１を参照して，右側面パネル11，正面パネル12，左側面パネル13，背面パネル14および糊代パネル15が横向きに連設されている。右側面パネル11，正面パネル12，左側面パネル13，背面パネル14および糊代パネル15は，いずれもその幅（横方向の長さ）に比べて高さ（縦方向の長さ）が高く，長方形の形状を持つ。
【００１７】
正面パネル12の上縁に外側天面パネル21が連設され，背面パネル14の上縁に内側天面パネル22が連設されている。正面パネル12の下縁に外側底面パネル31が連設され，背面パネル14の下縁に内側底面パネル32が連設されている。左右の側面パネル11，13の上下縁にはフラップ41が連設されている。
【００１８】
正面パネル12とその下縁に連設された外側底面パネル31の境界，および背面パネル14とその下縁に連設された内側底面パネル32の境界にはミシン目（間隔をあけて形成された複数の孔の列）Ｍが形成されている。ミシン目Ｍは厚紙を折ったときの反発（折られる前の姿勢に戻ろうとする力）を軽減するために形成されている。ミシン目に代えてハーフカットを形成してもよい。
【００１９】
外側底面パネル31および内側底面パネル32の表面（外面）に傾斜凹面31Ａ，32Ａが形成されている。
【００２０】
外側底面パネル31に形成された傾斜凹面31Ａは，外側底面パネル31の長手方向（左右の短辺同士を結ぶ向き）に形成され，正面パネル12との境界（ミシン目Ｍ）から外側底面パネル31の先端縁部に向かって次第に深くなる傾斜を持つ。内側底面パネル32に形成された傾斜凹面32Ａは，内側底面パネル32の長手方向（左右の短辺同士を結ぶ向き）に形成され，内側底面パネル32の先端縁部から背面パネル14との境界（ミシン目Ｍ）に向かって次第に深くなる傾斜を持つ。傾斜凹面31Ａ，32Ａのもっとも深い箇所の深さは，紙厚によるが，たとえば紙厚が 400μｍであれば，100μｍ〜200μｍ程度とされる。傾斜凹面31Ａ，32Ａは，外側，内側底面パネル31，32の表面（外面）に傾斜凸面を有する型を押し付けることで形成される。もっとも，通常の罫線をつくる罫線刃を押し型に用いても傾斜凹面31Ａ，32Ａは形成可能であり，この場合には押し型を受ける面板に傾斜凹面を有するものが用いられる。
【００２１】
図３を参照して，外側，内側底面パネル31，32の傾斜凹面31Ａ，32Ａは，外側，内側底面パネル31，32が重ねあわされたときに重なり合う箇所（範囲）に形成される。外側，内側底面パネル31，32の外面に形成される傾斜凹面31Ａ，32Ａに対応して，外側，内側底面パネル31，32の内面には傾斜凸面が形成される。
【００２２】
薄型直方体カートン１Ｂは次のようにして組み立てられる。すなわち，左側面パネル13と背面パネル14の境界で型紙１Ａを折畳み，正面パネル12と右側面パネル11の境界も折畳む。重なり合う糊代パネル15と右側面パネル11とを接着して筒状とし，その後に隣接するパネル間の角度が直角となるように起函する。上面および下面が開口する角筒が作られる。
【００２３】
左右の側面パネル11，13の下縁に連設されたフラップ41を内向きに直角に折り，次に背面パネル14の下縁に連設された内側底面パネル32を内向きに直角に折り，最後に正面パネル12の下縁に連設された外側底面パネル31を内向きに直角に折り，外側底面パネル31の内面と内側底面パネル32の外面とを接着する。角筒の底面が閉じられる。
【００２４】
開口する上面から角筒内に，医薬品，化粧品，菓子等の内容物が入れられ，その後に上面開口も閉じられる。下面を閉じる工程と同様に，左右の側面パネル11，13の上縁のフラップ41を内向きに直角に折り，背面パネル14の上縁の内側天面パネル22を内向きに直角に折る。最後に正面パネル12の上縁の外側天面パネル21を内向きに直角に折り，外側天面パネル21の内面と内側天面パネル22の外面を接着する。角筒の天面が閉じられ，薄型直方体カートン１Ｂが完成する。
【００２５】
図２および図３を参照して，薄型直方体カートン１Ｂの底面を構成する外側，内側底面パネル31，32の外面の傾斜凹面31Ａ，32Ａは内方に凹んでいるので，傾斜凹面31Ａ，32Ａは接地せず，傾斜凹面31Ａ，32Ａが形成されていない傾斜凹面31Ａ，32Ａを取り囲む範囲が接地面となり（接地するのは外側底面パネル31の傾斜凹面31Ａを取り囲む範囲），ここで薄型直方体カートン１Ｂは支持されることになる。
【００２６】
型紙を折ることで立体的につくられるカートンは，紙が持つ弾性（反発力）によって，折られる前の状態に戻ろうとする力がパネルに働く。正面パネル12の下縁に連設された外側底面パネル31は内向きに折られるので，外向きの力が生じる。背面パネル14の下縁に連設された内側底面パネル32も内向きに折られるので，外向きの力が生じる。外向きの力は正面パネル12と外側底面パネル31の境界，および背面パネル14と内側底面パネル32の境界に働く。外側，内側底面パネル31，32は接着されているので，側方からみて外方（下方）に反る向きに湾曲を生じがちである。
【００２７】
ここで，外側，内側底面パネル31，32には傾斜凹面31Ａ，32Ａが形成されているので，正面パネル12と外側底面パネル31の境界，および背面パネル14と内側底面パネル32の境界に働く外向きの紙の反発力は，傾斜凹面31Ａ，32Ａの範囲に伝わらないまたは伝わりにくくなる。また，傾斜凹面31Ａ，32Ａが外方に湾曲しても，接地面（傾斜凹面31Ａ，32Ａを取り囲む範囲）を大きく超えて外方に突出しにくく，したがって外方湾曲底面が平坦面に接して薄型直方体カートン１Ｂを不安定にすることがない。
【００２８】
さらに，外側，内側底面パネル31，32に形成される凹面を斜面とすることで，凸凹部が滑らかになり，印刷表示部を阻害することなく，意匠性に優れる。また，段差の開始部から徐々に滑らかに平らになるので疑似的（相対的）に断面が階段状になり，上記境界に働く曲がり反発力を効果的に抑制することができる。
【００２９】
また薄型直方体カートン１Ｂは切込みを用いて脚部を形成するものではないので，切込みによる隙間（孔）ができることもなく，カートン１Ｂ内への塵埃の侵入を防止することができる。
【００３０】
傾斜凹面は少なくとも外側底面パネル31に形成すればよく，内側底面パネル32に形成する必要は必ずしもない。もっとも，内側底面パネル32にも傾斜凹面を形成するのが好ましい。
【実施例２】
【００３１】
図４および図５は第２実施例を示すもので，図４は薄型直方体カートンを形成する厚紙の型紙２Ａを示している。図５は型紙２Ａから形成される薄型直方体カートン２Ｂを底面がわから示す斜視図である。図１および図２に示す型紙１Ａおよび薄型直方体カートン１Ｂとは，外側，内側底面パネル31，32に形成されている傾斜凹面31Ｂ，32Ｂが，外側，内側底面パネル31，32の短辺同士を結ぶ全体に（端から端まで）形成されている点が異なる。傾斜凹面31Ｂ，32Ｂを挟む，正面パネル12がわおよび背面パネル14がわのそれぞれにおいて長手方向にのびる領域において，薄型直方体カートン１Ｂは支持される。正面パネル12がわおよび背面パネル14がわのそれぞれにおいて支持されることによって，薄型直方体カートン１Ｂは安定して自立する。
【実施例３】
【００３２】
図６は第３実施例の薄型直方体カートンを形成する型紙３Ａを示している。図１に示す第１実施例の薄型直方体カートンを形成する型紙１Ａとは，外側，内側底面パネル31，32のそれぞれに，長手方向にのびる傾斜凹面31Ａ１，31Ａ２，32Ａ１，32Ａ２が，上下に並んで（正面と背面を結ぶ方向に）間隔をあけて形成されている点が異なる。また，合計４つの傾斜凹面31Ａ１，31Ａ２，32Ａ１，32Ａ２が，いずれも外側，内側底面パネル31，32の先端縁部から正面，背面パネル12，14との境界（ミシン目Ｍ）に向かって次第に深くなる傾斜を持つ点が異なる。
【００３３】
正面パネル12と背面パネル14とを結ぶ方向に２つの傾斜凹面を並べて形成することで，外側，内側底面パネル31，32に外向きにかかる力を２段階に防ぐことができる。
【００３４】
外側底面パネル31に形成された傾斜凹面31Ａ１，31Ａ２と，内側底面パネル32に形成された傾斜凹面32Ａ１，32Ａ２は同じ向き（ミシン目Ｍに向かう方向に次第に深くなる向き）の傾斜であるので，外側底面パネル31と内側底面パネル32を重ね合わせたときに凹凸が完全には重なり合わないものの，傾斜凹面の深さは上述したように100μｍ〜200μｍ程度であるので，接着剤等によって外側底面パネル31の内面と内側底面パネル32の外面の間を埋めつつこれらを接着することができる。傾斜凹面の方向（外側，内側底面パネル31，32の先端縁部に向けて浅くするか深くするか）は任意に設計することができる。もっとも，紙の反発力によって外側，内側底面パネル31，32に生じる外向きの力は，正面パネル12と外側底面パネル31の境界，および背面パネル14と内側底面パネル32の境界に働くので，少なくとも１つの傾斜凹面は，この境界に向けて傾斜が深くなる向きに形成するのが好ましい。
【００３５】
第３実施例の傾斜凹面31Ａ１，31Ａ２，32Ａ１，32Ａ２についても，外側，内側底面パネル31，32の短辺同士を結ぶ全体に（端から端まで）形成してもよい（図１，図２に示す傾斜凹面31Ａ，31Ｂと同様の関係）。
【実施例４】
【００３６】
図７および図８は第４実施例を示すもので，図７は薄型直方体カートンを形成する型紙４Ａを示している。図８は型紙４Ａから形成される薄型直方体カートン４Ｂを底面がわから示す斜視図である。
【００３７】
外側底面パネル31に，傾斜凹面31Ｃ１と傾斜凹面31Ｃ２とが間隔をあけて長手方向に並んで形成されている。外側底面パネル31の左側に形成されている傾斜凹面31Ｃ１は，外側底面パネル31の左短辺に向かって次第に深さが深くなる傾斜を持つ。外側底面パネル31の右側に形成されている傾斜凹面31Ｃ２は，外側底面パネル31の右短辺に向かって次第に深さが深くなる傾斜を持つ。内側底面パネル32も同様であり，傾斜凹面32Ｃ１と傾斜凹面32Ｃ２とが間隔をあけて長手方向に並んで形成されており，内側底面パネル32の左側に形成されている傾斜凹面32Ｃ１は内側底面パネル32の左短辺に向かって次第に深さが深くなる傾斜を持ち，内側底面パネル32の右側に形成されている傾斜凹面32Ｃ２は，内側底面パネル32の右短辺に向かって次第に深さが深くなる傾斜を持つ。このように外側，内側底面パネル31，32の短辺同士を結ぶ方向の傾斜を有する凹面を形成することによっても，薄型直方体カートン４Ｂの自立安定性を向上させることができる。
【実施例５】
【００３８】
図９および図１０は第５実施例を示すもので，図９は薄型直方体カートンを形成する型紙５Ａを示している。図１０は型紙５Ａから形成される薄型直方体カートン５Ｂを底面がわから示す斜視図である。
【００３９】
外側底面パネル31に，傾斜凹面31Ｄ１と傾斜凹面31Ｄ２と傾斜凹面31Ｄ３が間隔をあけて長手方向に並んで形成されている。傾斜凹面31Ｄ１，31Ｄ２，31Ｄ３は，いずれも外側底面パネル31の長辺同士を結ぶ方向に傾斜しているが，その向きが，両端の傾斜凹面31Ｄ１と傾斜凹面31Ｄ３とについては正面パネル12との境界（ミシン目Ｍ）から外側底面パネル31の先端部に向けて次第に深くなる方向に傾斜しているのに対し，これらに挟まれた傾斜凹面31Ｄ２については外側底面パネル31の先端部から正面パネル12との境界（ミシン目Ｍ）に向けて次第に深くなる方向に傾斜している。
【００４０】
内側底面パネル32については，外側底面パネル31と内側底面パネル32とを重ね合わせたときに傾斜凹面同士を重ね合わせることができるようにするために，両端の傾斜凹面32Ｄ１と傾斜凹面32Ｄ３については内側底面パネル32の先端部から背面パネル14との境界に向けて次第に深くなる方向に傾斜しており，これらに挟まれた傾斜凹面32Ｄ２は背面パネル14との境界から内側底面パネル32の先端部に向けて次第に深くなる方向に傾斜している。
【００４１】
上述したように，正面パネル12と外側底面パネル31の境界，および背面パネル14と内側底面パネル32の境界に，外側，内側底面パネル31，32を外方に湾曲させる力が生じるので，正面パネル12と外側底面パネル31の境界，および背面パネル14と内側底面パネル32の境界のそれぞれに対してバランスよく，外方に湾曲させる力を低減させる構造を持たせるのが好ましい。上述のように外側，内側底面パネル31，32のそれぞれに，傾斜方向が逆向きの複数の傾斜凹面を形成しておくことで，このバランスをとることができる。
【実施例６】
【００４２】
図１１および図１２は第６実施例を示すもので，図１１は薄型直方体カートンを形成する型紙６Ａを示している。図１２は型紙６Ａから形成される薄型直方体カートン６Ｂを底面がわから示す斜視図である。
【００４３】
傾斜凹面31Ｅ，32Ｅはいずれも外側，内側底面パネル31，32の長手方向に形成されており，外側，内側底面パネル31，32のそれぞれの左右の端部に，左右短辺に向かってしたがって次第に深さが浅くなる傾斜を持つものである。このような傾斜凹面31Ｅ，32Ｅによっても薄型直方体カートン６Ｂの自立安定性が向上する。
【符号の説明】
【００４４】
１Ａ，２Ａ，３Ａ，４Ａ，５Ａ，６Ａ  型紙
１Ｂ，２Ｂ，４Ｂ，５Ｂ，６Ｂ  薄型直方体カートン
31  外側底面パネル
32  内側底面パネル
31Ａ，31Ａ１，31Ａ２，32Ａ，32Ａ１，32Ａ２，31Ｂ，32Ｂ，31Ｃ１，31Ｃ２，32Ｃ１，32Ｃ２，31Ｄ１，31Ｄ２，31Ｄ３，32  Ｄ１，32Ｄ２，32Ｄ３，31Ｅ，32Ｅ  傾斜凹面
【図１】
0006988338.tif 000002
【図２】
0006988338.tif 000003
【図３】
0006988338.tif 000004
【図４】
0006988338.tif 000005
【図５】
0006988338.tif 000006
【図６】
0006988338.tif 000007
【図７】
0006988338.tif 000008
【図８】
0006988338.tif 000009
【図９】
0006988338.tif 000010
【図１０】
0006988338.tif 000011
【図１１】
0006988338.tif 000012
【図１２】
0006988338.tif 000013